【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
画像データを取得する画像データ取得手段と、
前記画像データ取得手段により取得された画像データについてジョブを実行する画像出力手段と、
前記ジョブを複数予約可能なジョブ予約手段と、を備えた画像形成装置において、
前記ジョブに対する中止の指示を行うことが可能な指示手段と、
前記指示手段による中止の指示がなされると、前記ジョブ予約手段に予約されており且つ前記画像出力手段による実行中のジョブを中断し、そのジョブを中止するか否かを確認するメッセージを出力する制御手段と、を備えていることを特徴とする画像形成装置。
【請求項２】
画像データを取得する画像データ取得手段と、
前記画像データ取得手段により取得された画像データについてジョブを実行する画像出力手段と、
前記ジョブを複数予約可能なジョブ予約手段と、を備えた画像形成装置において、
既存の操作キーが操作された際に、前記ジョブ予約手段に予約されており且つ前記画像出力手段による実行中のジョブを中断し、そのジョブを中止するか否かを確認するメッセージを出力する制御手段を備えていることを特徴とする画像形成装置。
【請求項３】
請求項１または２記載の画像形成装置において、
表示部を備えており、この表示部には画像形成装置の動作条件を表示する基本画面を表示可能となっている一方、ジョブを中止するか否かを確認するメッセージは、この基本画面上に確認画面として重ねて表示される構成となっていることを特徴とする画像形成装置。
【請求項４】
請求項１または２記載の画像形成装置において、
制御手段は、画像形成装置の動作状況に応じて、ジョブの中止処理を行うよう構成されていることを特徴とする画像形成装置。
【請求項５】
請求項２記載の画像形成装置において、
既存の操作キーは、入力された情報をクリアするためのキー又は設定された条件をクリアするためのキーのうちの少なくとも一方であることを特徴とする画像形成装置。
【請求項６】
請求項２記載の画像形成装置において、
既存の操作キーは全解除キー又はクリアキーのうちの少なくとも一方であることを特徴とする画像形成装置。
【請求項７】
請求項１または２記載の画像形成装置において、
制御手段は、ジョブを中止するか否かを確認するメッセージを出力した後、所定時間以内にユーザからの指示がない場合、ジョブを再開させるよう構成されていることを特徴とする画像形成装置。
【請求項８】
画像データ読み取り手段と、
前記画像データ読み取り手段により読み取られた画像データについて出力ジョブを実行する画像出力手段と、
前記出力ジョブを複数予約可能なジョブ予約手段と、を備えた画像形成装置において、
前記出力ジョブに対する中止の指示を行うことが可能な指示手段と、
前記指示手段による中止の指示がなされると、前記ジョブ予約手段に予約されており且つ前記画像出力手段による実行中のジョブを中断し、その出力ジョブを中止するか否かを確認するメッセージを出力する制御手段と、を備えていることを特徴とする画像形成装置。
【手続補正２】
【補正対象書類名】明細書
【補正対象項目名】０００１
【補正方法】変更
【補正の内容】
【０００１】
【発明の属する技術分野】
本発明はデジタル複写機等に代表される画像形成装置に係る。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
上記の課題を解消するために本発明が講じた解決手段は、画像データを取得する画像データ取得手段と、画像データ取得手段により取得された画像データについてジョブを実行する画像出力手段と、前記ジョブを複数予約可能なジョブ予約手段とを備えた画像形成装置を前提とする。この画像形成装置に対し、前記ジョブに対する中止の指示を行うことが可能な指示手段（後述する実施形態における全解除キーやクリアキーに相当）と、この指示手段による中止の指示がなされると、前記ジョブ予約手段に予約されており且つ前記画像出力手段による実行中のジョブを中断し、そのジョブを中止するか否かを確認するメッセージを出力する制御手段（後述する実施形態における処理動作切換部６Ｍに相当）とを備えさせている。
【手続補正７】
【補正対象書類名】明細書
【補正対象項目名】００１６
【補正方法】変更
【補正の内容】
【００１６】
従来、ジョブ予約手段を備えたものでは、ジョブをキャンセル（削除）する場合、このキャンセルを行うための専用の画面（上記ジョブステータス画面）を呼び出した後でなければキャンセルを行うことができなかった。本解決手段によれば、指示手段（操作キー）を操作するのみでジョブを中断することが可能であり、操作性が良好である。また、例えば、複写モードの実行中にそのジョブをキャンセルする必要が生じた際、従来ではキャンセル操作が完了するまでの間に大量に無駄な複写物が作製されてしまうといった不具合があったが、本解決手段によれば操作キーの操作により直ちに複写動作を停止することが可能になる。
また、操作キーが操作された際、実行中のジョブを中止するか否かをユーザに確認させるためのメッセージを出力するようにしているため、操作キーが操作された際、その操作が誤操作でないか否かをユーザに確認した上で、実行中のジョブを中止することができ、不用意にジョブがキャンセルされてしまうといった状況を回避することができる。尚、上記確認メッセージの出力としては、操作パネル上への画像表示や音声出力等が掲げられる。
尚、ここでいう画像データ取得手段とは、複写モードやファクシミリ送信モードにあっては原稿画像を読み込むスキャナ部であり、ファクシミリ受信モードにあってはファクシミリモデム等の受信部であり、プリンタモードにあっては情報処理端末から画像信号を受信するインターフェイス等に相当する。一方、画像出力手段とは、複写モード、ファクシミリ受信モード、プリンタモードにあっては、記録用紙への画像形成を行う画像形成部であり、ファクシミリ送信モードにあってはファクシミリ画像データを送信するファクシミリモデム等の送信部に相当する。
【手続補正８】
【補正対象書類名】明細書
【補正対象項目名】００１７
【補正方法】変更
【補正の内容】
【００１７】
また、本発明の他の解決手段としては、画像データを取得する画像データ取得手段と、画像データ取得手段により取得された画像データについてジョブを実行する画像出力手段と、前記ジョブを複数予約可能なジョブ予約手段とを備えた画像形成装置を前提とする。この画像形成装置に対し、既存の操作キーが操作された際に、前記ジョブ予約手段に予約されており且つ前記画像出力手段による実行中のジョブを中断し、そのジョブを中止するか否かを確認するメッセージを出力する制御手段を備えさせている。
この特定事項により、既存の操作キーが操作された際、その操作キーの従来の機能に加えて、例えば複写モードの実行中に操作キーが操作された場合に実行中のジョブを一時停止するといった新たな機能を付加することができる。
【手続補正９】
【補正対象書類名】明細書
【補正対象項目名】００１８
【補正方法】変更
【補正の内容】
【００１８】
また、表示部を備えさせ、この表示部に画像形成装置の動作条件を表示する基本画面を表示可能としている一方、ジョブを中止するか否かを確認するメッセージは、この基本画面上に確認画面として重ねて表示する構成としている。
【手続補正１０】
【補正対象書類名】明細書
【補正対象項目名】００１９
【補正方法】変更
【補正の内容】
【００１９】
また、画像形成装置の動作状況に応じて、ジョブの中止処理を行うよう制御手段を構成している。
この特定事項により、操作キーが操作された際、例えば、複写モードの実行中において、画像データの読み込み処理の実行中である場合にはその読み込み処理をキャンセルする。また、画像データの読み込み処理の実行中でなく、画像形成動作（印字動作）の実行中でもない場合には操作キーが操作されたことをキャンセルして処理動作を継続する。更には、画像形成動作の実行中である場合にはその画像形成動作を一時停止するといったように、装置の動作状況に応じて処理動作を切り換えることができる。
【手続補正１１】
【補正対象書類名】明細書
【補正対象項目名】００２０
【補正方法】変更
【補正の内容】
【００２０】
上記既存のキーとして、具体的には、入力された情報をクリアするためのキー又は設定された条件をクリアするためのキーのうちの少なくとも一方が掲げられる。より具体的には、全解除キー又はクリアキーのうちの少なくとも一方が掲げられる。
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
更に、制御手段は、ジョブを中止するか否かを確認するメッセージを出力した後、所定時間以内にユーザからの指示がない場合、ジョブを再開させるよう構成されている。これによれば、操作キーが操作されるに伴って画像形成動作を一時的に停止させるようにした場合、誤って操作キーが操作されたことによって画像形成動作が長時間に亘って停止してしまうといった状況を回避することができ、画像形成動作を自動的に再開させることができる。
また、上記の目的を達成するために本発明が講じた他の解決手段としては、画像データ読み取り手段と、画像データ読み取り手段により読み取られた画像データについて出力ジョブを実行する画像出力手段と、前記出力ジョブを複数予約可能なジョブ予約手段とを備えた画像形成装置を前提とする。この画像形成装置に対し、前記出力ジョブに対する中止の指示を行うことが可能な指示手段と、この指示手段による中止の指示がなされると、前記ジョブ予約手段に予約されており且つ前記画像出力手段による実行中のジョブを中断し、その出力ジョブを中止するか否かを確認するメッセージを出力する制御手段とを備えさせている。
【手続補正１４】
【補正対象書類名】明細書
【補正対象項目名】００９６
【補正方法】変更
【補正の内容】
【００９６】
【発明の効果】
以上のように、本発明では、操作キーが操作された際、その操作に伴う処理動作を実行するか否かをユーザに確認させるための確認メッセージを出力するようにしているので、不用意にジョブがキャンセルされてしまうといった状況を回避することができ、装置の動作の信頼性を高めることができる。
【手続補正１５】
【補正対象書類名】明細書
【補正対象項目名】００９７
【補正方法】変更
【補正の内容】
【００９７】
また、既存の操作キーが操作された際、その操作キーの従来の機能に加えて、ジョブを一時中断させるといった新たな機能を付加することができる。このため、操作パネル上に新たにキーを設けることなしにその多機能化を図ることができる。特に、ユーザがファクシミリ送信を実行しようとした場合に、操作を誤って複写モードに設定してしまった場合、装置の処理動作を実行させると、大量枚数の複写動作が開始されてしまい、ジョブステータス画面を開かねば、そのジョブをキャンセルできないといった従来の不具合を回避することが可能になる。